(57)【要約】【課題】選別されるべき果実等の形状が特別な場合でも、選別用の開口を確実に通過して落下でき、作業効率の高い果実等の選別装置を提供すること。【解決手段】一対の選別板片１１、１２が、水平に保持された状態ではその一対の選別板片１１、１２の隣接部分に果実等の選別のための開口１５が形成され、両側で下方へ回動された際には全体的に開放されるように構成された両開き選別層１０が、複数層に積層されて設けられ、開口１５が下層から上層へ順に大きく形成されると共に実質的に同心に配された両開き積層部２０と、下層の両開き選別層１０から順に一対の選別板片１１、１２が両側で下方へ回動されて開かれ、果実等を小さいものから大きいものの順に落下させて所要の大きさごとに選別するように、両開き積層部２０の各両開き選別層１０を下層から順に開放可能に保持する保持機構３０とを具備する。【選択図】図１
2008194654.tif 000002
【特許請求の範囲】
【請求項１】
一対の選別板片が、水平に保持された状態では該一対の選別板片の隣接部分に果実等の選別のための開口が形成され、両側で下方へ回動された際には全体的に開放されるように構成された両開き選別層が、複数層に積層されて設けられ、前記開口が下層から上層へ順に大きく形成されると共に実質的に同心に配された両開き積層部と、
下層の前記両開き選別層から順に前記一対の選別板片が両側で下方へ回動されて開かれ、果実等を小さいものから大きいものの順に落下させて所要の大きさごとに選別するように、前記両開き積層部の各両開き選別層を下層から順に開放可能に保持する保持機構とを具備することを特徴とする果実等の選別装置。
【請求項２】
前記保持機構は、前記両開き積層部の各両開き選別層に、下側から接触されるように前記一対の選別板片の向き合う方向とは実質的に直交する方向へ上層ほど長く延設された舌状等の被接触部と、該被接触部へ下側から接触すると共に、前記一対の選別板片の向き合う方向とは実質的に直交する方向へ移動可能設けられ、各両開き選別層を下層から順に開放可能に支持する支持部材とから構成されていることを特徴とする請求項１記載の果実等の選別装置。
【請求項３】
前記支持部材を備える保持機構と、前記両開き積層部とが、同一の基部に装着されて、両開き選別ユニットが構成されていることを特徴とする請求項２記載の果実等の選別装置。
【請求項４】
前記支持部材が、カム機構によって、前記一対の選別板片の向き合う方向とは実質的に直交する方向へ移動されることを特徴とする請求項２又は３記載の果実等の選別装置。
【請求項５】
前記両開き選別ユニットが、基体に対して回転自在に配された回転円板の下面に、該回転円板の円周方向へ等分間隔に設けられた貫通穴の数に対応させて装着され、前記支持部材に設けられたカムフォロアが、前記回転円板の下側で前記基体に固定されたカム板体に設けられた溝カムに嵌って案内されることを特徴とする請求項４記載の果実等の選別装置。
【請求項６】
前記回転円板の外周に歯車の歯部が設けられ、該歯部に駆動モータによって駆動される歯車が噛合して、該回転円板が軸心を中心に回転駆動されることを特徴とする請求項５記載の果実等の選別装置。
【請求項７】
両側で開いた各一対の選別板片を水平状態に戻して、前記両開き選別層が複数積層されて構成される前記両開き積層部に復帰させるように、下方へ回動した各選別板片に下側から当接し、該選別板片を上方へ回動させて水平状態となるように案内するガイド面部と、前記回転円板の回転方向と反対方向の下方へ回動した各選別板片に前記ガイド面部によって案内される前に下側から当接し、該選別板片を上方へ回動させて実質的に水平状態となるように前記回転円板の回転方向へ動く送上げ部材とから成る復帰機構を備えることを特徴とする請求項５又は６記載の果実等の選別装置。
【請求項８】
選別されて落下する果実等を受けて収納部へ送るシューターが、前記回転円板の各貫通穴の位置に対応して設けられていることを特徴とする請求項５、６又は７記載の果実等の選別装置。
【請求項９】
前記開口が円形であって、さくらんぼの選別を行なうことを特徴とする請求項１、２、３、４、５、６、７又は８記載の果実等の選別装置。
【発明の詳細な説明】
【技術分野】
【０００１】
本発明は、粒状の果実など、大きさの異なる多数の立体物を、所要のサイズごとに選別する果実等の選別装置に関する。
【背景技術】
【０００２】
果実等の粒状物をサイズごとに選別するには、サイズの異なる複数の開口穴を備えた選別板を利用して手作業で行なうか、その選別板へ順次機械で供給して振るい落とす方法が考えられる。このような選別板を用いる場合、選別すべきものが球状であれば、比較的容易に機械化ができる。
しかしながら、さくらんぼのような茎の長いものについては、その茎が選別用の開口穴内に引っ掛かり易く、適切に振るい落とすことができないため、機械化が難しかった。
なお、比較的大きな果実等については、その重量を測定することで大きさを識別して選別する方法も取られている。しかしながら、さくらんぼのような軽量なものについては、精度の高い計測器が必要となるため、コスト高となって現実的ではない。
【０００３】
これに対して、先行技術として、円孔が穿設されている複数個の選別板を積層し、各選別板の円孔は上に位置する選別板の円孔が下に位置する選別板の円孔より直径が大であって同心的に穿設されており、最上位の選別板の前縁部が障壁に形成されている上記各選別板がそれぞれ回動できるように同軸上に支持されている選別装置体を形成して、この選別装置体を前後に隣接させて無端状に連続させると共に、これ等選別装置体を循環走行する走行体にそれぞれ支持し、一方、上記選別装置体が往路方向へ向かって走行するときに各選別板を一時水平状態に支持する支持レールと、その走行通路の下方に上記選別板の個数と同数の選別区域を設け、上記支持レールには選別装置体の各選別体に対する支持を最下位の選別板から段階的に開放する開放部を設けて成る果実の選別機が開示されている（特許文献１参照）。
【特許文献１】特開昭６４−１５１８９号公報（第１頁、第４図）
【発明の開示】
【発明が解決しようとする課題】
【０００４】
果実等の選別装置に関して解決しようとする問題点は、先行技術にかかる選別機であっても、長い茎を有するさくらんぼのように選別されるべき果実等の形状が特別な場合、その果実等が開口穴内で引っ掛って装置の運転が中断し易い点にある。
そこで、本発明の目的は、選別されるべき果実等の形状が特別な場合でも、選別用の開口を確実に通過して落下でき、作業効率の高い果実等の選別装置を提供することにある。
【課題を解決するための手段】
【０００５】
本発明は上記目的を達成するために次の構成を備える。
本発明にかかる果実等の選別装置の一形態によれば、一対の選別板片が、水平に保持された状態では該一対の選別板片の隣接部分に果実等の選別のための開口が形成され、両側で下方へ回動された際には全体的に開放されるように構成された両開き選別層が、複数層に積層されて設けられ、前記開口が下層から上層へ順に大きく形成されると共に実質的に同心に配された両開き積層部と、下層の前記両開き選別層から順に前記一対の選別板片が両側で下方へ回動されて開かれ、果実等を小さいものから大きいものの順に落下させて所要の大きさごとに選別するように、前記両開き積層部の各両開き選別層を下層から順に開放可能に保持する保持機構とを具備する。
【０００６】
また、本発明にかかる果実等の選別装置の一形態によれば、前記保持機構は、前記両開き積層部の各両開き選別層に、下側から接触されるように下前記一対の選別板片の向き合う方向とは実質的に直交する方向へ上層ほど長く延設された舌状等の被接触部と、該被接触部へ下側から接触すると共に、前記一対の選別板片の向き合う方向とは実質的に直交する方向へ移動可能設けられ、各両開き選別層を下層から順に開放可能に支持する支持部材とから構成されていることを特徴とすることができる。
また、本発明にかかる果実等の選別装置の一形態によれば、前記支持部材を備える保持機構と、前記両開き積層部とが、同一の基部に装着されて、両開き選別ユニットが構成されていることを特徴とすることができる。
【０００７】
また、本発明にかかる果実等の選別装置の一形態によれば、前記支持部材が、カム機構によって、前記一対の選別板片の向き合う方向とは実質的に直交する方向へ移動されることを特徴とすることができる。
また、本発明にかかる果実等の選別装置の一形態によれば、前記両開き選別ユニットが、基体に対して回転自在に配された回転円板の下面に、該回転円板の円周方向へ等分間隔に設けられた貫通穴の数に対応させて装着され、前記支持部材に設けられたカムフォロアが、前記回転円板の下側で前記基体に固定されたカム板体に設けられた溝カムに嵌って案内されることを特徴とすることができる。
【０００８】
また、本発明にかかる果実等の選別装置の一形態によれば、前記回転円板の外周に歯車の歯部が設けられ、該歯部に駆動モータによって駆動される歯車が噛合して、該回転円板が軸心を中心に回転駆動されることを特徴とすることができる。
また、本発明にかかる果実等の選別装置の一形態によれば、両側で開いた各一対の選別板片を水平状態に戻して、前記両開き選別層が複数積層されて構成される前記両開き積層部に復帰させるように、下方へ回動した各選別板片に下側から当接し、該選別板片を上方へ回動させて水平状態となるように案内するガイド面部と、前記回転円板の回転方向と反対方向の下方へ回動した各選別板片に前記ガイド面部によって案内される前に下側から当接し、該選別板片を上方へ回動させて実質的に水平状態となるように前記回転円板の回転方向へ動く送上げ部材とから成る復帰機構を備えることを特徴とすることができる。
【０００９】
また、本発明にかかる果実等の選別装置の一形態によれば、選別されて落下する果実等を受けて収納部へ送るシューターが、前記回転円板の各貫通穴の位置に対応して設けられていることを特徴とすることができる。
また、本発明にかかる果実等の選別装置の一形態によれば、前記開口が円形であって、さくらんぼの選別を行なうことを特徴とすることができる。
【発明の効果】
【００１０】
本発明にかかる果実等の選別装置によれば、選別されるべき果実等の形状が特別な場合でも、選別用の開口を確実に通過して落下でき、作業効率を向上できるという特別有利な効果を奏する。
【発明を実施するための最良の形態】
【００１１】
以下、本発明にかかる果実等の選別装置の最良の形態例を添付図面（図１〜１０）と共に詳細に説明する。図１は本発明にかかるさくらんぼ選別装置に装着される両開き選別ユニットの一形態を示す平面図（Ａ）及び側面図（Ｂ）である。図２は図１の形態例の底面図である。また、図３は図１の形態例のＸ−Ｘ断面であって、後述する回転円板５０に装着された状態を、後述する保持機構３０を省略した断面図として示してある。
【００１２】
１０は両開き選別層であり、一対の選別板片１１、１２によって構成されている。この両開き選別層１０によれば、一対の選別板片１１、１２が水平に保持された状態では、その一対の選別板片１１、１２の隣接部分に果実等の選別のための開口１５が形成され、両側で下方へ回動された際には全体的に開放される。なお、一対の選別板片１１、１２は、水平の保持状態が解除された場合に、重力によって自動的に下方へ回動して開く。
つまり、この両開き選別層１０は、一対の選別板片１１、１２が閉じた状態では、その開口１５より大きなさくらんぼ等の被選別物が落下することを阻止し、観音開き状に開いた際には、その被選別物が落下することを許容する選別用受け部の層となっている。
なお、一対の選別板片１１、１２は、その開口１５より大きなさくらんぼ等の被選別物を好適に受けることができるように、実質的に水平に保持されればよい。すなわち、水平に保持するとは、例えば被選別物を安定的に受けるために若干傾斜させるなど、厳密には水平でない状態に保持することも含まれる。
【００１３】
また、本形態例の両開き選別層１０では、一対の選別板片１１、１２の実質的に並び合わされた部分の中央部に、実質的に円形の開口１５が形成されるように、この一対の選別板片１１、１２は、中心線について左右対称に設けられている。具体的には、一対の選別板片１１、１２のそれぞれに略半円形の切り欠きが形成されており、それらを合わせることによって、略円形の開口１５となる。また、一対の選別板片１１、１２は、突き合わせた状態になく、隙間１６が空いた状態で隣接している。
１７は支持軸であり、基部１８の左右両側にそれぞれ固定されている。この支持軸１７に、各選抜板片１１、１２がその一端部１４で回動自在に軸着されており、ドアのような開閉動作が可能に構成されている。
このような形態になっているため、選別されるさくらんぼ等の被選別物は、開口１５を構成する選別板片１１、１２に引っ掛かることなく確実に落下できる。従って、装置が停止することなく、作業効率を向上できる。
【００１４】
２０は両開き積層部であり、一対の選別板片１１、１２から構成される両開き選別層１０が、複数層に積層されて設けられている。また、この両開き積層部２０では、各両開き選別層１０（１０ａ、１０ｂ、１０ｃ、１０ｄ、１０ｅ）の開口１５（１５ａ、１５ｂ、１５ｃ、１５ｄ、１５ｅ）が下層から上層へ順に大きく形成されると共に実質的に同心に配されて設けられている。本形態例では同心円状になるように配されている。
各開口１５は、上層から下層に向かうに従ってすぼまるため、球形或いは球形に近似するものを置いた場合、安定した状態となり、据わりがよい。つまり、球形状の湾曲したものを好適に受ける形状となっており、選別すべきもの（被選別物）を好適に載置することができる。
【００１５】
３０は保持機構であり、下層の両開き選別層１０から順に一対の選別板片１１、１２が両側で下方へ回動されて開かれ、果実等の被選別物を小さいものから大きいものの順に落下させて所要の大きさごとに選別するように、両開き積層部２０の各両開き選別層１０を下層から順に開放可能に保持する。
【００１６】
本形態例の保持機構３０は、図２に示すように、両開き積層部２０の各両開き選別層１０に、下側から接触されるように一対の選別板片１１、１２の向き合う方向とは実質的に直交する方向へ上層ほど長く延設された舌状等の被接触部１３（１３ａ、１３ｂ、１３ｃ、１３ｄ、１３ｅ）を構成要素とする。
また、この保持機構３０は、その被接触部１３へ下側から接触すると共に、一対の選別板片１１、１２の向き合う方向とは実質的に直交する方向へ移動可能設けられ、各両開き選別層１０を下層から順に開放可能に支持する支持部材３１を構成要素とする。
【００１７】
本形態例では、支持部材３１を備える保持機構３０と、両開き積層部２０とが、同一の基部１８に装着されて設けられ、両開き選別ユニット４０が構成されている。このようにユニット化されていることで、量産しやすく、製造コストを低減できる。
また、本形態例では、支持部材３１が図１（Ｂ）及び図２に示すように、板バネによって構成されている。この支持部材３１は、直線ガイド部３４によって、一対の選別板片１１、１２の向き合う方向とは実質的に直交する方向への往復運動が案内された往復移動体３２に固定されて一体化されている。その往復移動体３２には、カムフォロア３３が固定されており、そのカムフォロア３３に力を与えることで、支持部材３１を移動させることができる構造になっている。なお、カムフォロア３３に力を与える機構は、後述する溝カム６２に限定されることなく、そのカムフォロア３３を一方に付勢するスプリング部材との組み合わせで、面カムを利用したカム機構としてもよい。このように、カム機構を用いることで、装置の構成を簡略化できる。このため、製造コストを低減できると共に、保守管理を容易に行うことができる。
【００１８】
これによれば、図２に示すように、図面上においてカムフォロア３３を介して支持部材３１を押し上げた状態では、支持部材３１の先端部が、最下層の一対の選別板片１１ａ、１２ａの舌状等の被接触部１３ａに接触し、両開き積層部２０の全ての両開き選別層１０が基部１８の下面によって規制されて水平に保持される（図３参照）。
支持部材３１は板バネによって形成されているため、適度な圧力で一対の選別板片１、１２の舌状等の被接触部１３に接し、両開き選別層１０を保持できる。また、その板バネの弾性によって、複数の被接触部１３（１３ａ、１３ｂ、１３ｃ、１３ｄ、１３ｅ）によって生じた段差を適切に乗り越えることができ、スムースに移動できる。
【００１９】
そして、図５に示すように、図面上においてカムフォロア３３を介して支持部材３１が段階的に押し下げられると、支持部材３１の先端部が順次上層側の一対の選別板片１１、１２の舌状等の被接触部１３に接触することになり、それより下層側の一対の選別板片１１、１２に対する支持が解除される。これによって、図４、図６及び図７に示すように、順次下層側の両開き選別層１０から、水平状態の保持が開放されて、一対の選別板片１１、１２が両側で重力によって下方へ回動して観音開きの状態になって開く。
これによれば、被選別物を、その大きさによって段階的に落下させることができ、サイズ別に好適に選別することができる。
【００２０】
次に、さくらんぼの選別を行なう全体装置の形態例について、添付図面に基づいて以下に詳細に説明する。図８はさくらんぼ選別装置の回転円板５０と両開き選別ユニット４０及び溝カム６２の配設関係を示す平面図である。また、図９はさくらんぼ選別装置の斜視図であり、図１０はさくらんぼ選別装置の斜視図である。
この選別装置にあっては、前記の開口１５が円形であって、前記の支持部材３１が、カム機構によって、一対の選別板片１１、１２の向き合う方向とは実質的に直交する方向へ移動されるように構成されている。
【００２１】
そして、図８及び図３等に示すように両開き選別ユニット４０が、基体４５に対して回転自在に配された回転円板５０の下面に、その回転円板５０の円周方向へ等分間隔に設けられた貫通穴５２の数に対応させて装着され、支持部材３１に設けられたカムフォロア３３が、回転円板５０の下側で基体４５に固定されたカム板体６０に設けられた溝カム６２に嵌って案内されている（図１０参照）。
なお、図８には、両開き選別ユニット４０外形とカムフォロア３３については一部のみについて点線で表示し、他は省略して記載してある。また、回転円板５０の回転方向Ｒを矢印で示してある。
【００２２】
また、回転円板５０の外周に歯車の歯部５５が設けられ、その歯部５５に駆動モータ７０によって駆動される歯車７１が噛合して、その回転円板５０が軸心を中心に回転駆動されるように構成されている。これによれば、回転円板５０の外周が歯車になっているため、駆動モータ７０の回転を好適に減速でき、簡単に好適な駆動機構を構成できる。従って、製造コストを低減でき、保守管理を容易に行なうことができる。
なお、回転円板５０の駆動装置は、これに限定されず、回転円板５０を支持する支持軸を回転させるようにしてもよい。また、歯車機構に限定されることはなく、タイミングプーリとタイミングベルト、さらにはスプロケットとチェーン等の周知慣用の駆動手段を利用してもよい。
【００２３】
また、６５は復帰機構であり、本形態例では、図９に示すように、ガイド面部６６と、へら状の送上げ部材６７を構成要素としている。
ガイド面部６６は、両側で開いた各一対の選別板片１１、１２を水平状態に戻して、両開き選別層１０が複数積層されて構成される両開き積層部２０に復帰させるように、下方へ回動した各選別板片１１、１２に下側から当接し、その選別板片１１、１２を上方へ回動させて水平状態となるように案内する。斜面と、それに続く平坦面により形成されており、簡単な構成で好適に案内することができる。
本形態例のガイド面部６６は、基体４５に固定されており、バネ板材によって設けられている。このように、ガイド面部６６がバネ板材で形成されることによって、選別板片１１、１２が接触する際の衝撃を適宜に吸収でき、装置の運転をスムースにすることができる。
【００２４】
送上げ部材６７は、回転円板５０の回転方向と反対方向の下方へ回動した各選別板片１２にガイド面部６６によって案内される前に下側から当接し、その選別板片１２を上方へ回動させて実質的に水平状態となるように回転円板５０の回転方向へ動く部材である（図９参照）。
つまり、回転方向と反対方向の下方へ回動した複数の積層状態の選別板片１２を、下から払うように持ち上げて実質的に水平状態となるように、送上げ部材６７を、回転円板５０の回転速度と適宜に同調させて作動させる。これにより、垂れ下がって積層された選別板片１２を、図７に示す矢印方向Ｓ１へ押圧して回動できる。また、積層状態の選別板片１２が引っ掛かることなく、ガイド面部６６によって好適に案内される状態となる。
これに対して、回転方向と同方向の下方へ回動した複数の積層状態の選別板片１１は、ガイド面部６６によって図７に示す矢印方向Ｓ２へ押圧されて回動される。つまり、積層状態の選別板片１１は、回転円板５０の回転に伴ってガイド面部６６に案内されて水平状態に戻されるため、以上に説明した積層状態の選別板片１２に対するような操作を行なう必要がない。
【００２５】
この復帰機構６５によれば、送上げ部材６７の駆動機構として、回転円板５０を回転させる駆動モータ７０の動力を利用でき、簡単に構成できる。本形態例では、送上げ部材６７が駆動モータ７０の回転軸７２に固定されており、歯車７１と同速度で旋回する（図９参照）。
これによれば、簡単な構成によって確実にタイミングを合わせることができ、装置の信頼性を確保できると共に、製造コストを低減できる。
【００２６】
また、８０はシューターであり、図１０に示すように、選別されて落下する果実等(本形態例ではさくらんぼ)を受けて収納部８２へ送るように、回転円板５０の各貫通穴５２の位置に対応して設けられている。
本形態例では、図８や図３等に示すように、開口１５ａ、１５ｂ、１５ｃ、１５ｄ、１５ｅと、基部１８の貫通開口１９との６段階に穴の直径が設けられており、シューター８０がそれぞれの開口１５又は貫通開口１９に対応されて設けられている。
なお、８１はシューター装着用板であり、基体４５の軸柱部４５ａに固定されている。このシューター装着用板８１に、上端部を引っ掛けることによってシューター８０が所定の位置に装着できる形態となっている。
これにより、傷みやすいさくらんぼも、好適に案内されて所要のサイズごとに収納部へ貯留することができる。
【００２７】
次に本形態例のさくらんぼ選別装置の使用方法について簡単に説明する。
先ず、作業者が、さくらんぼ９０を一粒ずつ、開口１５ａが形成された貫通穴５２内の真ん中に置く（図３参照）。これにより、さくらんぼは両開き積層部２０の上面に置かれたことになる。
次に、回転円板５０が順次回転すると、開口１５ｂが開いた状態となる。このとき、図４に示すように、さくらんぼ９０が、開口１５ｂの穴径より大きいときは、落下しないで両開き積層部２０の上に留まる。
そして、図６に示すように、さくらんぼ９０が、開口１５ｃの穴径より小さいときは、落下してシューター８０を介して収納部へ送られ、選別がなされる。
このようにして、開口１５を順次大きくして、最後に図７に示すように、全ての選別板片１１、１２が開いて基部１８の貫通開口１９による穴径となる。
以上のように、選別作業は、重力の力によって自動的になされる。
また、前述したように復帰機構６５によって、両開き積層部２０も自動的に復帰する。
従って、作業者は、常にさくらんぼを、開口１５ａが形成された貫通穴５２内の真ん中に置く作業を続けるだけで、自動的に効率よく選別がなされる。
【００２８】
以上、回転テーブル方式の選別装置について説明してきたが、本発明はこれに限定されるものではない。例えば、無端条の軌道を運動するコンベア方式の選別装置に、以上に説明した両開き積層部２０等の構成を適用してもよい。無端条の軌道を利用する場合、両開き積層部２０が反転することになり、重力の作用によって、両側で開いた各一対の選別板片１１、１２を自動的に水平状態に戻すことができる。これにより、両開き選別層１０が複数積層されて構成される両開き積層部２０に容易に復帰させることができる。つまり、復帰機構を簡単に構成できる利点がある。
【００２９】
以上、本発明につき好適な形態例を挙げて種々説明してきたが、本発明はこの形態例に限定されるものではなく、例えば果実以外の立体物の大きさの選別を行なう場合に応用できるなど、発明の精神を逸脱しない範囲内で多くの改変を施し得るのは勿論のことである。
【図面の簡単な説明】
【００３０】
【図１】本発明にかかる果実等の選別装置に装着される両開き選別ユニットの形態例を示す平面図（Ａ）及び側面図（Ｂ）である。
【図２】図１の形態例の底面図である。
【図３】図１の形態例のＸ−Ｘ断面図である。
【図４】両開き選別ユニットの作動状態を示す断面図である。
【図５】図４の状態時の両開き選別ユニットを示す底面図である。
【図６】果実等の落下時の両開き選別ユニットの作動状況を示す断面図である。
【図７】全開した状態の両開き選別ユニットの作動状況を示す断面図である。
【図８】本発明にかかるさくらんぼ選別装置の回転円板と両開き選別ユニット及び溝カムの配設関係の形態例を示す平面図である。
【図９】本発明にかかるさくらんぼ選別装置の形態例を示す斜視図である。
【図１０】本発明にかかるさくらんぼ選別装置の形態例を示す側面図である。
【符号の説明】
【００３１】
１０  両開き選別層
１１、１２  選別板片
１３  被接触部
１５  開口
１８  基部
２０  両開き積層部
３０  保持機構
３１  支持部材
３３  カムフォロア
４０  両開き選別ユニット
４５  基体
５０  回転円板
５２  貫通穴
５５  歯部
６０  カム板体
６２  溝カム
６５  復帰機構
６６  ガイド面部
６７  送上げ部材
７０  駆動モータ
７１  歯車
８０  シューター
【図１】
2008194654.tif 000003
【図２】
2008194654.tif 000004
【図３】
2008194654.tif 000005
【図４】
2008194654.tif 000006
【図５】
2008194654.tif 000007
【図６】
2008194654.tif 000008
【図７】
2008194654.tif 000009
【図８】
2008194654.tif 000010
【図９】
2008194654.tif 000011
【図１０】
2008194654.tif 000012